(57)【要約】【課題】移動しようとする目的地に関連する放送番組を簡単に受信できるようにする。【解決手段】カーナビゲーション装置１２によって、移動しようとする目的地の情報を抽出して、目的地情報記憶部４０に記憶しておき、データ放送の放送信号中に、マークアップ言語で記述された目的地情報取得信号が存在するかを監視し、目的地情報取得信号が存在した場合、カーナビゲーション装置１２に信号を送って、目的地情報記憶部４０に記憶された目的地情報を取得し、さらにマークアップ言語ブラウジング部２７を起動してマークアップ言語で記述された地域情報番組のリンク情報と比較し、目的地情報に関連する番組のリンク情報が検知されたら、その番組を受信するように受信器１１のチューナ／デコード部２３を制御する。【選択図】      図１
2004236075.tif 000002
【特許請求の範囲】
【請求項１】
外部機器を制御して、該外部機器から情報を取得するためのコマンドと、放送番組に関するリンク情報がマークアップ言語で記述されたデータを含むデータが放送されるデータ放送を受信して前記データを得る受信手段と、
前記受信手段で得られたデータから前記外部機器に対するコマンドを抽出するコマンド抽出手段と、
前記コマンド抽出手段で抽出されたコマンドによって、前記外部機器から情報を取得する情報取得手段と、
前記情報取得手段で取得した情報に基づき、前記放送番組のリンクを選択する選択手段と、
前記選択されたリンクによって特定される放送番組を受信するように前記受信手段を制御する制御手段と、
を具備したことを特徴とする受信装置。
【請求項２】
前記外部機器がナビゲーション装置であり、該外部機器から取得する情報が目的地を特定する情報であり、前記選択されたリンクによって特定される放送番組が前記目的地に関連する番組であることを特徴とする請求項１に記載の受信装置。
【請求項３】
異なる複数の地域情報が記憶された記憶媒体及びユーザが指定した目的地情報に基づき前記記憶媒体に記憶された前記地域情報を読み出す読出し手段及びその読み出された地域情報を伝送する通信手段を有するナビゲーション部と、
地域情報番組へのリンクを特定する記述と前記ナビゲーション部の記憶媒体に記憶された地域情報に対応する目的地情報関数とが記述された特定プログラム言語を含むデータ放送を受信する受信手段及びこの受信手段によって前記地域情報番組へのリンクを特定する記述及び前記ナビゲーション部の目的地情報関数記述が受信された際にデータ放送ブラウザを起動すると共に、前記ナビゲーション部から前記通信手段を介して前記地域情報を受信し、前記地域情報番組リンクの中に前記地域情報に関連するリンクが存在するか判別する目的地情報検索手段及び前記検索手段によって関連する地域情報番組が検出された際に当該番組を受信するように前記受信手段を制御する選局手段を有する受信部と、
を具備したことを特徴とする受信システム。
【請求項４】
異なる複数の地域情報が記憶された記憶媒体及びユーザが指定した目的地情報に基づき前記記憶媒体に記憶された前記地域情報を読み出す読出し手段及びその読み出された地域情報を伝送する通信手段を有するナビゲーション部と、
地域情報番組へのリンクを特定する記述と前記ナビゲーション部の記憶媒体に記憶された地域情報に対応する目的地情報関数とが記述された特定プログラム言語を含むデータ放送を受信する受信手段及びこの受信手段によって前記地域情報番組へのリンクを特定する記述及び前記ナビゲーション部の目的地情報関数記述が受信された際にデータ放送ブラウザを起動すると共に、前記ナビゲーション部から前記通信手段を介して前記地域情報を受信し、前記地域情報番組リンクの中に前記地域情報に関連するリンクが存在するか判別する目的地情報検索手段及び前記検索手段によって関連する地域情報番組が検出された際に当該番組の受信予約を行なう予約手段及び前記予約された番組を受信するように前記受信手段を制御する選局手段を有する受信部と、
を具備したことを特徴とする受信システム。
【請求項５】
前記プログラムが、スクリプトを含むマークアップ言語で記述されていることを特徴とする請求項３または４に記載の受信システム。
【請求項６】
外部機器を制御して、該外部機器から情報を取得するためのコマンドと、放送番組に関するリンク情報がマークアップ言語で記述されたデータを含むデータが放送されるデータ放送を受信して前記データを得るステップと、
前記受信部で得られたデータから前記外部機器に対するコマンドを得るステップと、
前記コマンド抽出手段で抽出されたコマンドによって、前記外部機器から情報を入手するステップと、
前記入手した情報に基づき、前記放送番組のリンクを選択するステップと、
前記選択されたリンクによって特定される放送番組を受信するように前記受信部を制御するステップと、
を具備したことを特徴とする受信方法。
【発明の詳細な説明】
【０００１】
【発明の属する技術分野】
本発明は、データ放送を受信可能な携帯型の受信装置に関し、特にナビゲーションシステムと連動させることによって、移動しようとする目的地に関連する情報を放送する番組あるいはデータを簡単に受信できるようにした受信装置、受信システム及び受信方法に関する。
【０００２】
【従来の技術】
デジタル放送においては、放送番組を構成する映像及び音声情報とは別にデータを多重で放送するように構成されており、ユーザは、視聴している番組の内容、出演者等の番組に関係する情報のほか、全てのチャンネルの番組表（ＥＰＧ：Ｅｌｅｃｔｒｉｃ  Ｐｒｏｇｒａｍ  Ｇｕｉｄｅ）、ニュース、地域の天気予報、株価等の番組とは直接関係のない情報を同じチャンネルで取得して視聴することができる。
【０００３】
将来、地上波テレビジョン放送が全てデジタル放送になることが決定されており、今後、データ放送はその種類、内容ともに益々多様化されてくることが予測され、受信装置としても、屋内に据え付けて視聴する従来の形態から、外出時にも持ち運び可能な手のひらサイズの受信器も広く普及することが予測されている。
【０００４】
例えば、自動車に小型の受信器を搭載してデジタル放送を視聴することも可能であり、その際、移動しようとする目的地の情報をデータ放送で入手して視聴するようにすれば、ドライブあるいは旅行をさらに快適なものとすることができる。
従来、移動先の情報を得ようとする場合には、ユーザがＥＰＧによって関連すると判断した番組を選局するかあるいは、新聞の番組表を見て選局する方法が取られているが、いずれにしろユーザは手動で選局を行うことになり、操作に手間が掛かり面倒であるという問題があった。
【０００５】
自動選局に関する提案もなされているが、それらは移動中にＧＰＳ（Ｇｌｏｂａｌ  Ｐｏｓｉｔｉｏｎｉｎｇ  Ｓｙｓｔｅｍ）や信号強度から放送送信設備のエリアを検出して、予め記憶させておいたエリア毎のチャンネル配置情報に基づいて選局を行うものであり、これから移動しようとする地域の情報等特定の情報を入手するということを目的としたものではない。そのような、移動エリアに応じて選局動作を行わせるようにした提案は、たとえば特許文献１に記載されている。
【０００６】
一方で、移動しようとする目的地までの的確なルートを知らしめるカーナビゲーションが、広く普及されてきつつあり、そのようなナビゲーションシステムでは、位置をデータで特定しており、目的地のデータを入手することは容易である。したがって、データ放送を受信する受信器に、カーナビゲーションシステムを結合させることで、移動しようとする地域に関連した放送を受信できるようにすれば、簡単な操作で目的の放送番組を視聴することができるが従来そのようなシステムの提案はなされていない。
【０００７】
以上のように、従来の受信装置においては、移動するエリア毎にチャンネル切換えを的確に行うことに主眼が置かれており、移動しようとする目的地に関連する情報を取得しようとする場合、番組表に基づいてユーザが手動で選局するしかなかった。
【０００８】
【特許文献１】
特開２００１−５３６３５号公報（第５頁、第６頁［００２６］〜［００２７］、図１，４）
【０００９】
【発明が解決しようとする課題】
以上のように、従来の受信装置は、移動するエリア毎に放送が実際に行われているチャンネル情報を取得して、的確に放送を受信することを目的としたものであり、これから移動しようとする目的地の情報を自動的に取得することはできない。
本発明は、以上の点に対処してなされたものであり、データ放送を受信可能なモバイルテレビジョン受像機等の携帯型の受信器と、ナビゲーションシステムを通信手段で結合して、ナビゲーションシステムから得た目的地情報に基づいて、データ放送に含まれる地域情報番組放送を検索して、関連する番組が探知された際にその番組を選局するように構成することで、目的地に関連する情報番組を自動的に視聴可能となるようにしたものである。
【００１０】
【課題を解決するための手段】
本発明の受信装置は、外部機器を制御して、該外部機器から情報を取得するためのコマンドと、放送番組に関するリンク情報がマークアップ言語で記述されたデータを含むデータが放送されるデータ放送を受信して前記データを得る受信手段と、前記受信手段で得られたデータから前記外部機器に対するコマンドを抽出するコマンド抽出手段と、前記コマンド抽出手段で抽出されたコマンドによって、前記外部機器から情報を取得する情報取得手段と、前記情報取得手段で取得した情報に基づき、前記放送番組のリンクを選択する選択手段と、前記選択されたリンクによって特定される放送番組を受信するように前記受信手段を制御する制御手段と、を具備したことを特徴とする。
【００１１】
本発明によれば、データ放送で伝送されるデータ中に、外部機器から情報を取得するためのコマンドが所定プログラム言語で記述されていた場合に、外部機器から情報を取得して、取得した情報と当該プログラム言語で記述された放送番組のリンク情報とから外部機器から取得した情報に関連する番組を選択して受信するようにしたので、自動的に目的の番組を受信することができるものである。
【００１２】
本発明の受信システムは、異なる複数の地域情報が記憶された記憶媒体及びユーザが指定した目的地情報に基づき前記記憶媒体に記憶された前記地域情報を読み出す読出し手段及びその読み出された地域情報を伝送する通信手段を有するナビゲーション部と、地域情報番組へのリンクを特定する記述と前記ナビゲーション部の記憶媒体に記憶された地域情報に対応する目的地情報関数とが記述された特定プログラム言語を含むデータ放送を受信する受信手段及びこの受信手段によって前記地域情報番組へのリンクを特定する記述及び前記ナビゲーション部の目的地情報関数記述が受信された際にデータ放送ブラウザを起動すると共に、前記ナビゲーション部から前記通信手段を介して前記地域情報を受信し、前記地域情報番組リンクの中に前記地域情報に関連するリンクが存在するか判別する目的地情報検索手段及び前記検索手段によって関連する地域情報番組が検出された際に当該番組を受信するように前記受信手段を制御する選局手段を有する受信部と、を具備したことを特徴とする。
【００１３】
本発明によれば、受信したデータ放送のデータ中に特定のプログラム言語で目的地情報関数が記述されていた場合、ナビゲーション部から目的地情報を取得し、さらにデータ放送ブラウザを起動して放送データ中の放送番組リンク情報と、取得した目的地情報を比較して、目的地情報に関連する放送番組があった場合、それを受信するものであるため、目的地に関連する番組を自動的に受信することができる。
【００１４】
本発明の受信システムは、異なる複数の地域情報が記憶された記憶媒体及びユーザが指定した目的地情報に基づき前記記憶媒体に記憶された前記地域情報を読み出す読出し手段及びその読み出された地域情報を伝送する通信手段を有するナビゲーション部と、地域情報番組へのリンクを特定する記述と前記ナビゲーション部の記憶媒体に記憶された地域情報に対応する目的地情報関数とが記述された特定プログラム言語を含むデータ放送を受信する受信手段及びこの受信手段によって前記地域情報番組へのリンクを特定する記述及び前記ナビゲーション部の目的地情報関数記述が受信された際にデータ放送ブラウザを起動すると共に、前記ナビゲーション部から前記通信手段を介して前記地域情報を受信し、前記地域情報番組リンクの中に前記地域情報に関連するリンクが存在するか判別する目的地情報検索手段及び前記検索手段によって関連する地域情報番組が検出された際に当該番組の受信予約を行なう予約手段及び前記予約された番組を受信するように前記受信手段を制御する選局手段を有する受信部と、を具備したことを特徴とする。
【００１５】
本発明によれば、受信したデータ放送のデータ中に特定のプログラム言語で目的地情報関数が記述されていた場合、ナビゲーション部から目的地情報を取得し、さらにデータ放送ブラウザを起動して放送データ中の放送番組リンク情報と、取得した目的地情報を比較して、目的地情報に関連する放送番組があった場合、その受信予約を行なうことができるため、適切な時刻に目的地に関連する番組を自動的に受信することができるものである。
【００１６】
本発明の受信方法は、外部機器を制御して、該外部機器から情報を取得するためのコマンドと、放送番組に関するリンク情報がマークアップ言語で記述されたデータを含むデータが放送されるデータ放送を受信して前記データを得るステップと、前記受信部で得られたデータから前記外部機器に対するコマンドを得るステップと、前記コマンド抽出手段で抽出されたコマンドによって、前記外部機器から情報を入手するステップと、前記入手した情報に基づき、前記放送番組のリンクを選択するステップと、前記選択されたリンクによって特定される放送番組を受信するように前記受信部を制御するステップと、を具備したことを特徴とする。
【００１７】
本発明によれば、データ放送で伝送されるデータ中に、外部機器から情報を取得するためのコマンドがマークアップ言語で記述されていた場合、外部機器から情報を取得して、取得した情報とマークアップ言語で記述された放送番組のリンク情報とから外部機器から取得した情報に関連する番組を選択して受信するようにしたので、自動的に目的の番組を受信することができるものである。
【００１８】
【発明の実施の形態】
以下、図面を参照しながら本発明の実施の形態を詳細に説明する。
図１は、本発明の受信システム１０の全体構成を示す図である。
図１に示すシステムは、デジタルテレビジョン放送を受信する小型のテレビジョン受信器１１、カーナビゲーション装置１２及び表示部１３で構成される。
受信器１１は、そのアンテナ端子１４にアンテナ１５が接続されている。図１においてはアンテナ１５は模式的に示すもので、例えば受信器１１を自動車内において使用する場合には、車外に配設させることができる。あるいは、受信器１１を手のひらサイズの携帯型受信器として構成する場合には、アンテナ１５は必ずしも受信器１１と別体に設ける必要はなく、受信器１１と一体的に設けられたモノポールアンテナであったり、ヘリカルアンテナであったり、あるいはロッドアンテナであっても構わない。また、アンテナ１５を受信器１１の筐体内部にループ状に収容して外部に突出しないように構成することもできる。
【００１９】
受信器１１は、アンテナ１５でキャッチした放送信号を受けて所望のチャンネルを選局し、選局した受信信号を復調してＭＰＥＧ（Ｍｏｖｉｎｇ  Ｐｉｃｔｕｒｅ  Ｅｘｐｅｒｔｓ  Ｇｒｏｕｐ）の復号を行ない、さらに復号した映像信号をアナログ信号に変換しケーブル１６を介してカーナビゲーション装置１２に出力する。また受信器１１は、詳細を後述する通信手段を備えており、カーナビゲーション装置１２との間で通信を行なうためのケーブル１７が接続されている。
【００２０】
さらに受信器１１は、受信した信号中に例えばマークアップ言語（Ｍａｒｋｕｐ  Ｌａｎｇｕａｇｅ）によって記述された記述情報が含まれていた場合、それに基づく制御信号を通信手段によってケーブル１７を介してカーナビゲーション装置１２に送り、カーナビゲーション装置１２からケーブル１７を介して目的地情報を取得するように構成されているが詳細は後述する。
【００２１】
カーナビゲーション装置１２は、ケーブル１８を介してＧＰＳアンテナ１９と接続されており、ＧＰＳアンテナ１９によって現在位置を検知するめたのＧＰＳ信号を取り込む。さらにカーナビゲーション装置１２は、地図情報及び座標データが予め記憶された記憶媒体を有しており、その記憶媒体から読み出された地図情報を映像信号としてケーブル２０を介して表示部１３に送りそれを表示させる。
【００２２】
カーナビゲーション装置１２の機能、動作を制御するためにリモコンハンドユニット２２が設けられており、ユーザはこのリモコンハンドユニット２２を操作して、カーナビゲーション装置１２を制御することができる。カーナビゲーション装置１２をナビゲーション装置として動作させない場合には、受信器１１からケーブル１６によってカーナビゲーション装置１２に供給される映像信号をそのままケーブル２０を介して表示部１３に供給して表示させることができる。
【００２３】
図２に受信器１１の具体的回路ブロックを示す。図２において、図１と同一部分に同一符号を付す。
アンテナ１５が、アンテナ入力端子１４に接続されており、アンテナ１５で受信された放送信号がチューナ／デコード部２３に供給される。チューナ／デコード部２３は、放送信号のチャンネルを選局する選局部と、選局したチャンネルの受信信号を復調するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調部と、その復調によって得られたＭＰＥＧトランスポートストリーム（Ｔｒａｎｓｐｏｒｔ  Ｓｔｒｅａｍ）信号を復号するＭＰＥＧデコード部を少なくとも含む。チューナ／デコード部２３は、バス２４を介してＣＰＵ（Ｃｅｎｔｒａｌ  Ｐｒｏｃｅｓｓｉｎｇ  Ｕｎｉｔ）で構成される制御部２５に接続され、この制御部２５によって選局等の機能の制御が行なわれる。
【００２４】
チューナ／デコード部２３でＭＰＥＧ復号された信号は、メモリ２６に供給される。メモリ２６は、例えばデータカルーセルで放送されるデータあるいはマークアップ言語で記述されたデータを逐次蓄積して、再構築するために用いられる。メモリ２６に蓄積されたデータは、マークアップ言語ブラウジング部２７に供給され、ここでデータが表示用に構築されて映像信号として出力される。この目的のため、メモリ２６とマークアップ言語ブラウジング部２７は、バス２４を介して制御部２５に接続されている。
【００２５】
マークアップ言語ブラウジング部２７の出力は、映像信号出力部２８に供給され、映像信号出力部２８から映像出力端子２９を介してケーブル１６によって出力される。放送番組を構成する映像信号等は再構築の必要がないため、メモリ２６とマークアップ言語ブラウジング部２７をそのまま通過して映像信号出力部２８に供給される。
【００２６】
受信器１１はさらに、通信部３０を備え、マークアップ言語ブラウジング部２７で得られるマークアップ言語に基づく制御信号を通信端子３１からケーブル１７を介して送信し、また、端子３１に送られる信号を受信する。
さらに受信器１１には、ユーザが操作可能なキー入力部３２が設けられており、チャンネル選局等のために供される。
図３は、図１に示すカーナビゲーション装置１２の具体的な回路ブロック図である。図３において図１と同一個所に同じ符号を付す。
カーナビゲーション装置１２は、ケーブル１８を介してＧＰＳアンテナ１９と接続されたＧＰＳ入力端子３３を有し、この入力端子３３に供給されるＧＰＳ信号が位置検出部３４に出力される。位置検出部３４はバス３５を介してＣＰＵで構成される制御部３６に接続され、制御部３６の制御の下に、ＧＰＳ信号から現在位置を検出して現在位置情報を出力する。
【００２７】
さらにカーナビゲーション装置１２は、所定範囲の地域に対応した地図情報と緯度及び経度で表される座標データが予め記憶された記憶媒体３７と、この記憶媒体３７から目的地情報を読み出すための地図情報読出し部３８を備える。ユーザの要求に基づき、地図情報読み出し部３８によって記憶媒体３７から目的地情報を読み出すために、キー入力部３９が制御部３６に接続されている。ユーザがキー入力部３９を操作して目的地データを入力することによって、制御部３６はバス３５を介して地図情報読出し部３８に目的地データに対応した地図情報を記憶媒体３７から読み出すように指示を出す。それによって記憶媒体３７から目的地情報が読み出され、地図情報読出し部３８を介してバス３５に導出される。目的地情報記憶部４０がバス３５に接続され、記憶媒体３７から読み出された目的地情報が制御部３６の制御の下、目的地情報記憶部４０に記憶される。
【００２８】
地図情報読出し部３８によって読み出された地図情報は、映像信号入力部４１に供給され、さらに映像信号入力部４１から映像信号出力部４２に供給されて、ここでアナログ信号への変換等の処理が施されて映像信号出力端子４３に導出される。映像信号出力端子４３に導出された映像信号はケーブル２０を介して表示部１３に供給されて表示される。
【００２９】
カーナビゲーション装置１２は、さらに映像入力端子４４を有し、この映像入力端子４４に受信器１１からの映像信号がケーブル１６を介して供給され、映像入力端子４４から映像信号入力部４１に導出される。映像信号入力部４１では、制御部３３の制御の下、地図情報読出し部３８によって読み出された地図情報と受信器１１からの映像信号を択一的に切換え選択して、映像信号出力部３６に導出する。あるいは、映像信号に対して地図情報が子画面表示されるように重畳して出力するか、または地図情報に対して映像信号を子画面表示するように重畳して出力する。
【００３０】
カーナビゲーション装置１２は、さらにリモコン信号受信部４５を有し、リモコンハンドユニット２２からのリモコン信号を受けて、それを復号しリモコン制御信号あるいはデータとして出力する。リモコン信号受信部４５は、バス３５を介して制御部３６にリモコン制御信号あるいはデータを供給する。制御部３６はリモコン制御信号を受けて、カーナビゲーション装置１２の各機能を制御する。また、制御部３６はリモコンハンドユニット２２によって入力される目的地データを地図情報読出し部３８に送って、記憶媒体２７から目的地情報を読み出すように制御する。
【００３１】
さらにカーナビゲーション装置１２には、通信部４６が設けられており、端子４７に接続されたケーブル１７を介して受信器１１と信号のやり取りを行なうように構成されている。
以上のように構成されたシステムの動作を説明する。
ユーザはリモコンハンドユニット２２を使って、カーナビゲーション装置１２に対して、目的地データを入力する。目的地データの入力は、例えば、記憶媒体３７に記憶されている地図情報に含まれる主要な地名の一覧を表示部１３に表示させ、リモコンハンドユニット２２のカーソルキーで目的地にカーソルを移して決定キーを押すことで、その目的地が選択されるように構成することができる。あるいは、リモコンハンドユニット２２から直接地名を入力するように構成することも可能である。
【００３２】
目的地の選択がなされると制御部３６は、地図情報読出し部３８に対して、目的地データに対応した情報を記憶媒体３７から読み出すように指示を与える。地図情報読出し部３８は、制御部３６からの指示により、記憶媒体３７から目的地情報を読み出してバス３５を介して目的地情報記憶部４０に供給してこれを記憶させる。このとき、記憶媒体３７から読み出した目的地の地図情報を映像信号入力部４１に供給し、映像信号出力部４２を介して表示部１３に導出して表示させることができる。
【００３３】
次にユーザは、受信器１１のキー入力部３２を操作して受信器１１を立ち上げて所定のチャンネルを選局しその放送を受信する。受信したチャンネルがデータ放送を実施していない場合、他のチャンネルを選局してデータ放送を行なっているチャンネルを探知する。データ放送によって送信されるデータの中に、マークアップ言語で記述された、目的地情報取得記述と、複数の地域の紹介番組を特定するリンク記述が含まれているものとする。
【００３４】
データ放送を実施しているチャンネルが探知されたら、受信したデータをメモリ２６に記憶させつつマークアップ言語ブラウジング部２７に供給して、マークアップ言語で記述された目的地情報取得記述が送られてきたか監視する。
受信したデータ中に放送目的地情報取得記述が見出された場合、受信器１１は、マークアップ言語ブラウジング部２７によって受信したデータに含まれる地域紹介番組のリンク一覧リストを生成して映像信号出力部２８に供給する。映像信号出力部２８は、マークアップ言語ブラウジング部２７で生成された一覧リストを映像信号に変換して、映像出力端子２９からケーブル１６を介してカーナビゲーション装置１２に出力する。
【００３５】
カーナビゲーション装置１２は、そのリスト映像を映像入力部４１、映像出力部４２を介して表示部１３で表示可能な信号に変換して出力し、表示部１３で表示させる。
さらに、受信器１１は、マークアップ言語ブラウジング部２７で抽出された目的地情報取得記述を制御部２５で目的地情報取得信号に変換して、その目的地取得信号をバス２４を介して通信部３０に送る。通信部３０は、目的地情報取得信号を、端子３１からケーブル１７を介してカーナビゲーション装置１２に出力する。
【００３６】
カーナビゲーション装置１２は、目的地情報取得信号を端子４７に受け、それを通信部４６に送る。通信部４６は、バス３５を介して制御部３６に目的地情報取得信号を送り出し、それによって制御部３６は、目的地情報記憶部４０に記憶されている目的地情報を読み出して、通信部４６に供給し、通信部４６は、目的地情報を端子４７からケーブル１７によって受信器１１に送信する。
【００３７】
受信器１１は、カーナビゲーション装置１２から送信された目的地情報を端子３１から取り込み、通信部３０を介して制御部２５に共供する。制御部２５は、マークアップ言語ブラウジング部２７で生成されたリンクのリスト中に、カーナビゲーション装置１２からの目的地情報に関連するリンクが存在するか否か検索を行い、関連するリンクが存在すれば、そのリンクを受信するようにチューナ／デコード部２３を制御する。
【００３８】
ここで、リンクについてさらに詳細に説明すると、データ放送においては、マークアップ言語の記述によって、文字、図形のみならず映像を表示することが可能であり、特定の映像が表示されるように設定することが可能である。
マークアップ言語による記述の例を図４に示す。図４において、表示される映像がｏｂｊｅｃｔ要素で指定されている。なお、実際には表示する画面上の幅、高さ、位置の指定が必要であるがここでは省略している。
図４において、ｏｂｊｅｃｔ要素のｄａｔａ属性の“／５１”は、表示すべき映像（番組）のＵＲＩ（Ｕｎｉｖｅｒｓａｌ  Ｒｅｓｏｕｒｃｅ  Ｉｄｅｎｔｉｆｉｅｒ）であり、それによって、その映像（番組）にリンクを張ることが可能である。なお、ＵＲＩは、厳密には放送される映像のＥＳ（Ｅｌｅｍｅｎｔａｒｙ  Ｓｔｒｅａｍ）が持つコンポーネントタグ値である。マークアップ言語を含むデータを放送しているチャンネル以外のチャンネルで放送される映像（番組）も指定することが可能であり、リンクを張ることができる。映像（番組）の例としては「軽井沢観光地案内番組」や「奥多摩観光ＰＲ番組」等の地域を紹介するものであり、それら番組の放送を「地域情報番組放送」とする。
【００３９】
実際には、受信器１１は、カーナビゲーション装置１２から取得した目的地の座標（緯度、経度）データと、マークアップ言語のｄａｔａ属性部分を比較して、目的地に関連する映像のリンクがあるかということを判別する。この目的のために、受信器１１は、座標データと番組の属性データとを関連付けるテーブルを予め備えている。すなわち、軽井沢に関連する番組のｄａｔａ属性が例えば１１で、奥多摩に関連する番組のｄａｔａ属性が例えば３１であるというように、予め決めておく。
【００４０】
以上によって、受信器は、受信したデータ放送に目的地情報取得記述が含まれていれば、カーナビゲーション装置１２から目的地情報を取得し、その目的地情報に関連する番組があれば、それを自動的に受信して表示させることができるものである。
【００４１】
また、ｄａｔａ属性の値は、スクリプトによって動的に書き換えることが可能であり、図４に示す記述の［ｓａｍｐｌｅ．ｂｍｌ］の中に、図５に示す記述を含ませれば、カーナビゲーション装置１２から取得した目的地の座標データ（緯度、経度）に基づいて、映像（番組）を切換えることが可能である。
【００４２】
すなわち、図５においては、例えば目的地が軽井沢であった場合に、現在位置が例えば軽井沢から±２０ｋｍ以内になったら、自動的に軽井沢の観光案内番組を受信して表示するように切換える。また、目的地が、奥多摩であった場合、現在地が奥多摩の±３０ｋｍ以内になったら、奥多摩観光ＰＲ番組を受信して表示するように切換える。
【００４３】
以上のように構成すれば、車で移動中に目的に近付いたら、自動的に目的地を案内する番組を受信することができるものである。
次に、図６，７を用いて、本発明の動作についてさらに説明する。
図６は、図１のカーナビゲーション装置１２を主体にシステムの動作を説明するためのフローチャートであり、実線で示す処理がカーナビゲーション装置１２の内部で完結する処理で、点線で示す処理が受信器１１と関連する処理である。
図６において、ステップ６Ａで開始されカーナビゲーション装置１２の電源が投入される。次いで、ステップ６Ｂでリモコンハンドユニット２２等の操作によるユーザキー入力待ちとなり、ステップ６Ｃでカーナビゲーション（以降カーナビと略称することもある）終了キー入力があったか否かの判定がなされる。ここで、終了キー入力があった場合、ステップ６Ｄで処理が終了される。
【００４４】
カーナビ終了キーの入力がない場合、ステップ６Ｅで目的地選択キー入力があったか否かの判定がなされ、目的地選択キー入力があった場合、ステップ６Ｆで目的地情報選択処理がなされ、カーナビゲーション装置１２の記憶媒体から目的地情報が読み出される。次いで、ステップ６Ｇで、読み出された目的地情報が目的地情報記憶部４０に記憶され、再びステップ６Ｂに戻ってユーザ入力待ちとなる。
【００４５】
ステップ６Ｅで目的地選択キー入力がなかったと判定された場合、ステップ６Ｈで受信器のメニュー選択キー入力があったか否かの判定がなされ、受信器のメニュー選択キー入力でなく、他の処理を実行させるためのキー入力があったらステップ６Ｉで各種処理が実行され、その後再びユーザキー入力待ちとなる。
【００４６】
ステップ６Ｈで受信器１１のメニュー選択キー入力があったと判定された場合、ステップ６Ｊで通信部４６によって受信器１１へ起動コマンドを送信する。受信器１１は、起動コマンドを受けて動作を開始し、受信したチャンネルの映像信号を通信部３０を介してカーナビゲーション装置１２に送信する。
【００４７】
カーナビゲーション装置１２は、ステップ６Ｋで受信器１１から供給される映像信号を表示部１３に出力して表示させ、ステップ６Ｌでユーザキー入力あるいは受信器１１からのコマンド待ちとなる。
ステップ６Ｍでユーザキー入力があったか否かの判定がなされ、キー入力があった場合、ステップ６Ｎでキー入力が受信器１１の受信動作を終了させるキー入力があったか否かの判定がなされ、受信動作を終了させるキーでない場合、ステップ６Ｏでその入力キーに対応したコマンドを受信器１１に送り、ステップ６Ｌでユーザキー入力あるいは受信器１１からのコマンド待ちとなる。ユーザキー入力が受信器１１の受信動作を終了させるものである場合、ステップ６Ｐで受信器１１に受信動作を終了させるコマンドを送信し、ステップ６Ｑで、記憶媒体３７あるいは目的地情報記憶部４０から読み出した現在地の地図情報あるいは目的地の地図情報を表示部１３で表示し、ステップ６Ｂに戻ってユーザキー入力待ちとなる。
【００４８】
ステップ６Ｍでユーザキー入力がなかったと判定された場合、ステップ６Ｒで受信器１１からのコマンドを受信したか否かの判定がなされ、受信しなかった場合、ステップ６Ｌに戻ってユーザキー入力あるいは受信器１１からのコマンド待ちとなる。ステップ６Ｒで受信器１１から目的地情報送信依頼コマンドを受信したか否かの判定がなされ、目的地情報送信依頼コマンドを受信しない場合には、ステップ６Ｌで引き続きユーザキー入力あるいは受信器１１からのコマンド待ちとなる。ステップ６Ｒで目的地情報送信依頼コマンドが受信されたことが判別されたら、ステップ６Ｓで受信器１１に目的地情報を送信して、ステップ６Ｌに戻りユーザキー入力あるいは受信器１１からのコマンド待ちとなる。
【００４９】
図７は、受信器１１の動作を主体にしたフローチャートであり、実線で示す処理は、受信器１１内で完結する処理であり、点線で示す処理はカーナビゲーション装置１２との間の通信処理を示す。
図７において、ステップ７Ａで受信器１１の電源が投入されることで処理が開始され、ステップ７Ｂでカーナビゲーション装置１２からのコマンド待ちとなる。次いで、ステップ７Ｃで起動コマンドが入力されたか否かの判定がなされ、起動コマンドが入力されない場合には、ステップ７Ｂに戻ってカーナビゲーション装置１２からの起動コマンド待ちとなる。
【００５０】
ステップ７Ｃで起動コマンドが入力されたと判定された場合、ステップ７Ｄで受信器１１を起動する。次いで、ステップ７Ｅでカーナビゲーション装置１２からの制御コマンド待ちとなり、さらにステップ７Ｆで受信器１１の受信動作を終了させるコマンドを受信したか否かの判定がなされ、受信動作を終了させるコマンドを受信した場合、ステップ７Ｇで終了処理が行なわれて、ステップ７Ｂに戻り、カーナビゲーション装置１２からのコマンド待ちとなる。
【００５１】
ステップ７Ｆでコマンドが受信器１１の受信動作を終了させるものでないと判定された場合、ステップ７Ｈでチャンネル切換えコマンドか否かの判定がなされ、チャンネル切換えコマンドでない場合ステップ７Ｉによって、各処理が実行される。その処理は、例えば表示部１３に表示された複数の項目に対してカーソルを移動する処理、移動した項目を選択（決定）して、表示画面を変更したり、映像信号を出力したりする等の処理である。
【００５２】
ステップ７Ｈで、チャンネル切換えコマンドを受け取ったことを認識したら、ステップ７Ｊでチャンネルの切換え（選局）と、それによって受信された信号のＭＰＥＧデコード処理が実行される。次に、ステップ７Ｋで、選局したチャンネルがデータ放送を実施しているか否かの判定がなされ、データ放送が実施されていない場合、ステップ７Ｌに移って、受信した放送信号に基づく映像信号を出力して、ステップ７Ｅに戻り、カーナビゲーション装置１２からの制御コマンド待ちとなる。
【００５３】
ステップ７Ｋでデータ放送の実施が判定された場合、ステップ７Ｍでマークアップ言語ブラウザの起動と、コンテンツの解析処理が行われ、次にステップ７Ｎでコンテンツに目的地情報所得関数の記述があるか否かの判定がなされ、目的地情報取得関数の記述があった場合、受信した放送信号に基づく映像信号をブラウザ付で出力し、ステップ７Ｅに戻ってカーナビゲーション装置１２からのコマンド待ちとなる。
【００５４】
ステップ７Ｎでコンテンツに目的地情報取得関数の記述があった場合、ステップ７Ｐで、カーナビゲーション装置１２から目的地情報を取得し、ステップ７Ｑで目的地情報を反映して表示画面を作成し、ステップ７Ｏに移る。
以上のように、受信器１１とカーナビゲーション装置１２を関連付けて動作させるように構成することにより、ユーザが移動しようとする目的地に関連した番組を簡単な操作で受信することができるようになるものである。
以上述べた、本発明の実施の形態では、目的地の座標データに基づいて目的地情報関連番組を受信するものであるが、目的地の座標データに加えて時刻情報を用いることによって、番組の受信を予約することも可能である。すなわち、データ放送では、受信器に設けられたＮＶＲＡＭ（Ｎｏｎ−Ｖｏｌａｔｉｌｅ  Ｒａｎｄｏｍ  Ａｃｃｅｓｓ  Ｍｅｍｏｒｙ：不揮発性ＲＡＭ）へ直接アクセスすることが可能であり、例えば、ＮＶＲＡＭに蓄えられたソフトウエアのバージョンをアップするために、必要なソフトウエアをデータに含ませて放送して、それをＮＶＲＡＭに書き込むという、いわゆるダウンロード機能が備えられている。このようなＮＶＲＡＭに予約データを記憶しておくことにより、目的地に近付いた時間に関連情報番組を自動的に受信するように構成することができる。
【００５５】
図８は、受信予約機能を備えた本発明の受信器の一実施の形態を示す回路ブロック図である。図８において、図２と同じ構成の部分に、同じ符号を付して詳細な説明は省略する。
図８の受信器８１においては、バス２４にＮＶＲＡＭ８２が接続され、ここに目的地の座標データと番組の受信開始時刻データが書き込まれる。
すなわち、制御部２５は、カーナビゲーション装置１２から目的地の座標データを取得し、目的地に近付いた際に、所定の時刻に目的地の関連番組を受信するように制御するスクリプトをＮＶＲＡＭに書き込む。さらに、制御部２５は、定期的にＮＶＲＡＭの中身を参照するか、書き込まれた時刻にイベントを発生し、それによって予約された番組が受信され、受信された番組の映像信号が表示部１３で表示されるように制御する。
【００５６】
以上のように構成することで、目的地に近付いてかつ予約時刻になったら関連番組を自動的に受信できるようになる。
図９は、ＮＶＲＡＭに書き込まれるスクリプトの具体例を示すものである。図９においては、軽井沢の±２０ｋｍ以内で、２００３年１月３１日の１２時から軽井沢の観光案内番組を受信し、奥多摩の±３０ｋｍ以内で、２００３年１月３１日の１２時３０分から奥多摩観光ＰＲ番組を視聴するというものである。
【００５７】
図１０は、以上説明した地域情報番組のリンク記述と、目的地情報所得記述を含むデータを放送するための送信装置を示す回路ブロック図である。
図１０において、送信器５１は、番組を構成する映像／音声信号源５２と、データ信号源５３を備える。映像／音声信号源５２から出力される映像／音声信号は、エンコード部５４でＭＰＥＧの符号化処理が施されて圧縮される。また、データ信号源５３にマークアップ言語記述部５５が接続され、このマークアップ言語記述部５５によって、データ信号源５３のデータの少なくとも一部がマークアップ言語記述によるデータとして生成される。すなわち、目的地情報取得記述と、地域情報番組リンク記述されたデータが生成されてデータ信号源５３から出力される。
【００５８】
エンコード部５４から出力される符号化された映像／音声信号と、マークアップ言語記述を含むデータ信号源５３からのデータは、マルチプレクス部５６で多重処理されてストリーム信号に変換され、変調部５７でＯＦＤＭ変調されて送信部５８に供給され、ＲＦ（Ｒａｄｉｏ  Ｆｒｅｑｕｅｎｃｙ）信号に変換されて送信アンテナ５９を介して送信される。
【００５９】
送信アンテナ５９から送信されるデータ放送を、前述のように、図２あるいは図８に示す受信器１１，８１で受信して、マークアップ言語によって記述された目的地情報取得記述と、地域情報番組リンク記述に基づき、カーナビゲーション装置１２から目的地情報を取得し、地域情報番組リンクリストと比較して、その結果に基づいて受信器１１，８１を制御することで、目的地に関連する番組を自動的に受信できるようになるものである。
【００６０】
以上のように、本発明の受信システムは、カーナビゲーション装置で予め目的地情報を抽出して記憶させておき、データ放送で放送されるデータ中に、目的地情報取得記述が存在した際に、カーナビゲーション装置から目的地情報を取得し、その座標データに基づいて、データ放送の地域情報番組のリンク記述を検索して、目的地に関連する番組を探知してそれを受信するように構成したので、目的地に関連する番組を簡単な操作で自動的に受信できるようになるものである。
【００６１】
【発明の効果】
以上のように、本発明の受信システムは、受信器とカーナビゲーション装置を互いに関連付けて動作させるように構成したことにより、目的地に関連する番組を自動的に受信できるようになるものである。
【図面の簡単な説明】
【図１】本発明に係る、受信システムの一実施の形態を示す構成図。
【図２】図１に示すシステムの要部の具体例を示す回路ブロック図。
【図３】図１に示すシステムの他の要部の具体例を示す回路ブロック図。
【図４】図１に示すシステムの動作を説明するための図。
【図５】図１に示すシステムの動作を説明するための図。
【図６】図１に示すシステムの要部の動作を説明するためのフローチャート。
【図７】図１に示すシステムの他の要部の動作を説明するためのフローチャート。
【図８】図２に示す受信システムの要部の他の具体例を示す回路ブロック図。
【図９】図８に示す回路ブロックの動作を説明するための図。
【図１０】図２及び図８に示す要部で受信されるデータ放送を送信する送信装置の回路ブロック図。
【符号の説明】
１１…受信器
１２…カーナビゲーション装置
１３…表示部
１５…放送受信アンテナ
１６，１７，１８，２０…ケーブル
１９…ＧＰＳアンテナ
２９，４３…映像出力端子
３１，４７…通信端子
３３…ＧＰＳアンテナ入力端子
４４…映像入力端子
５９…送信アンテナ
【図１】
2004236075.tif 000003
【図２】
2004236075.tif 000004
【図３】
2004236075.tif 000005
【図４】
2004236075.tif 000006
【図５】
2004236075.tif 000007
【図６】
2004236075.tif 000008
【図７】
2004236075.tif 000009
【図８】
2004236075.tif 000010
【図９】
2004236075.tif 000011
【図１０】
2004236075.tif 000012